(57)【要約】【課題】ヒンジ蓋を有する包装箱について、ヒンジ蓋のロックとロックの解除が、蓋を開閉するときに自然になされ、また、ロックが正確で、ロック機能も摩擦力を利用するものと比較してより長く維持されるようにすることを課題としている。【解決手段】本体部２１と、背面パネル３の上縁にヒンジ線となる折り目線Ｌ７を介して連接されたヒンジ蓋２２を備える包装箱の本体部用正面パネル１の側縁部に、側方に突出するロック片１１を、蓋用側面パネル７の前縁部に係止スリット１２をそれぞれ設け、ヒンジ蓋２２が閉じられるときに本体部用正面パネル１が撓んでロック片１１が蓋用側面パネル７の通過を許容する位置に逃げ、ヒンジ蓋２２の閉鎖完了位置で本体部用正面パネル１が弾性復元してロック片１１が係止スリット１２に入り込んで係合するようにした。【選択図】図２
2012136253.tif 000002
【特許請求の範囲】
【請求項１】
本体部用正面パネル（１）、左右の本体部用側面パネル（２）、背面パネル（３）、及び底面パネルを有する本体部（２１）と、上面パネル（６）、左右の蓋用側面パネル（７）、蓋用正面パネル（８）を有し、前記上面パネル（６）の後縁が前記背面パネル（３）の上縁にヒンジ線を介して連接されたヒンジ蓋（２２）とを備え、前記ヒンジ蓋（２２）が閉鎖位置で前記本体部用正面パネル（１）と本体部用側面パネル（２）の外側に被さるようにしたブランクシート（１５）を折り曲げて構成される包装箱であって、
前記本体部用正面パネル（１）の左右の側縁部に、側方に突出するロック片（１１）を、前記蓋用側面パネル（７）の前縁部に前記ロック片（１１）に対応させた係止スリット（１２）をそれぞれ設け、
前記ヒンジ蓋（２２）が閉じられるときに前記本体部用正面パネル（１）が撓んで前記ロック片（１１）が前記蓋用側面パネル（７）の通過を許容する位置に逃げ、前記ヒンジ蓋（２２）の閉鎖完了位置で前記本体部用正面パネル（１）が弾性復元して前記ロック片（１１）が前記係止スリット（１２）に入り込んで係合するようにした包装箱。
【請求項２】
前記左右の蓋用側面パネル（７）と蓋用正面パネル（８）を前記上面パネル（６）の３辺に連設し、各蓋用側面パネル（７）の正面パネル側端縁と前記蓋用正面パネル（８）の下縁にそれぞれ折込みフラップ（９，１０）を設け、それ等の折込みフラップを、前記蓋用側面パネルに連接された折込みフラップ（１０）上に前記蓋用正面パネルの下縁に連接された折込みフラップ（９）が重なるように折り曲げて前記蓋用正面パネル（８）の内面に沿わせ、前記左右の蓋用側面パネルに連接される折込みフラップ（１０）の先端に上面パネル側コーナを切欠いて形成したフラップ延伸部（１０ａ）を、一方のフラップ延伸部に設けた切込み（１０ｂ）に他方のフラップ延伸部に設けた切込み方向が逆になった切込み（１０ｂ）を差し込んで互いに重ねて連結固定し、さらに、前記蓋用正面パネル（８）に連接される折込みフラップ（９）を、その折込みフラップに設けた切起し舌片（１３）を前記フラップ延伸部（１０ａ）の切欠かれた縁に係止させて内側に配置された前記折込みフラップ（１０）に固定した請求項１に記載の包装箱。
【発明の詳細な説明】
【技術分野】
【０００１】
この発明は、厚紙や半硬質樹脂の薄板で形成される折り箱用のブランクシートを用いて構成される包装箱、詳しくは、本体部にヒンジ線を介して連ならせた蓋（これをヒンジ蓋と言う）とそのヒンジ蓋の閉鎖状態を保持するロック手段を備え、そのロック手段によるロックとロックの解除が蓋を開閉するときに自然になされるようにした包装箱に関する。
【背景技術】
【０００２】
折り箱用のブランクシートを折り曲げて構成される包装箱の一態様として、本体部とその本体部の上部開口を開閉するヒンジ蓋を一体に形成したものが知られている（下記特許文献１，２参照）。
【０００３】
特許文献１に開示された包装箱は、内側カートンと外側カートンを備えた喫煙用品収納用のパッケージであって、正面、背面、上面、底面、両側面の各パネルを有する外側カートンの正面と両側面のパネルをカートンの上側で分離し、背面パネルにヒンジ線を形成することで外側カートンの上側をヒンジ蓋となしている。
【０００４】
そして、そのヒンジ蓋が被さる内側カートンに側方に突出した耳部を設けており、その耳部が、蓋の内面に接して耳部の摩擦力で蓋の閉鎖状態が保持される。
【０００５】
特許文献２に開示された包装箱も、正面板の上縁に連接して外向きに折り曲げたロック片を有しており、そのロック片がヒンジ蓋を閉じたときに蓋の内面に弾性的に押しつけられて摩擦係合し、摩擦力で蓋が閉鎖位置に固定されるようになっている。
【先行技術文献】
【特許文献】
【０００６】
【特許文献１】特許第３２６０３７７号公報
【特許文献２】特開平１１−３３４７３１号公報
【発明の概要】
【発明が解決しようとする課題】
【０００７】
上述したように、周知のヒンジ蓋付き包装箱の中には、蓋の閉鎖状態を保持するロック機構を設けたものが存在するが、特許文献１，２のように、摩擦力で蓋を固定するロック機構では得られる摩擦力が限られており、安定したロックが保証されない。
【０００８】
また、特許文献１のパッケージは、摩擦力を生じさせる耳部のクリープ変形が生じやすく、ロックの信頼性の長期維持が難しい。
【０００９】
さらに、特許文献２の包装箱はロック片のバックラッシュがあるため（これは摩擦力を高めるほど顕著になる）、閉鎖された蓋が少し開き気味になることも考えられる。
【００１０】
なお、差し込み式のフラップと係止スリットを箱の本体部とヒンジ蓋に対応して設け、閉蓋位置において前記フラップを係止スリットに挿抜してロック状態の保持と解除を行うロック機構も存在するが、これは、フラップの挿抜を人手で行う必要があり、包装箱の使い勝手が悪い。
【００１１】
この発明は、ヒンジ蓋を有する包装箱について、ヒンジ蓋のロックとロックの解除が、蓋を開閉するときに自然になされ、また、ロックが正確で、ロック機能も摩擦力を利用するものと比較してより長く維持されるようにすることを課題としている。
【課題を解決するための手段】
【００１２】
上記の課題を解決するため、この発明においては、本体部用正面パネル、左右の本体部用側面パネル、背面パネル、及び底面パネルを有する本体部と、上面パネル、左右の蓋用側面パネル、蓋用正面パネルを有し、前記上面パネルの後縁が前記背面パネルの上縁にヒンジ線を介して連接されたヒンジ蓋とを備え、前記ヒンジ蓋が閉鎖位置で前記本体部用正面パネルと本体部用側面パネルの外側に被さるようにしたブランクシートを折り曲げて構成される包装箱であって、
前記本体部用正面パネルの左右の側縁部に、側方に突出するロック片を、前記蓋用側面パネルの前縁部に前記ロック片に対応させた係止スリットをそれぞれ設け、
前記ヒンジ蓋が閉じられるときに前記本体部用正面パネルが撓んで前記ロック片が前記蓋用側面パネルの通過を許容する位置に逃げ、前記ヒンジ蓋の閉鎖完了位置で前記本体部用正面パネルが弾性復元して前記ロック片が前記係止スリットに入り込んで係合するようにした。
【００１３】
この包装箱は、本体部用正面パネルの幅方向中央部に、そのパネルの上縁から前記ロック片の設置域よりも下方に至る切欠き部を設けると好ましい。前記ロック片の少なくとも下縁を下すぼみの方向に傾斜させるのも好ましい。
【００１４】
また、左右の蓋用側面パネルと蓋用正面パネルを上面パネルの３辺に連設し、各蓋用側面パネルの正面パネル側端縁と前記蓋用正面パネルの下縁にそれぞれ折込みフラップを設け、それ等の折込みフラップを、前記蓋用側面パネルに連接された折込みフラップ上に前記蓋用正面パネルの下縁に連接された折込みフラップが重なるように内向きに折り曲げて蓋用正面パネルの内面に沿わせると好ましい。
【００１５】
その形態の包装箱は、左右の側面パネルと正面パネルにそれぞれ連接される折込みフラップを、以下のようにして固定すると好ましい。
【００１６】
即ち、左右の側面パネルに連接される折込みフラップについては、その折込みフラップの先端の上面パネル側コーナを切欠いたフラップ延伸部を形成して左右の側面パネルのフラップ延伸部を互いにオーバラップさせて重ね、一方のフラップ延伸部に設けた切込みに、他方のフラップ延伸部に設けた切込み方向が逆になった切込みを差し込んで左右の側面パネルの折込みフラップを互いに連結固定する。
【００１７】
また、正面パネルに連接される折込みフラップについては、その折込みフラップに設けた切起し舌片を前記フラップ延伸部の切欠かれた縁に係止させて内側に配置されたフラップ延伸部に固定する。
【発明の効果】
【００１８】
この発明の包装箱は、ヒンジ蓋を閉じる過程で本体部に設けたロック片がヒンジ蓋の側面パネルの通過を許容する位置に逃げ、ヒンジ蓋の閉鎖完了位置でそのロック片が復帰してヒンジ蓋に設けた係止スリットに入り込んで係合する。
【００１９】
また、蓋を開けるときには、本体部の正面パネルを指で押えて撓ませるとロック片が内側に逃げて係止スリットから外れる（ロック片の下縁を傾斜させたものは、正面パネルを指で押えずに蓋を開けることが可能）。このとき、ヒンジ蓋は、ヒンジ線の部分に残存している曲げ戻しの力によって途中まで開く。従って、その後に正面パネルの押え付けをやめても、蓋を再度閉め直さない限り、再ロックされることはない。
【００２０】
このように、ヒンジ蓋のロック（閉鎖位置での保持）とロックの解除が自然になされ、包装箱の使い勝手が良くなる。
【００２１】
また、ロック片が係止スリットに嵌り込んでロックがなされるので、摩擦力に依存するロックに比べてロックの信頼性が高まる。バックラッシュによるヒンジ蓋の戻りも起こらず、閉じられた蓋が開き気味になることもない。
【００２２】
さらに、ロック片の逃げが、本体部の正面パネルの撓みによって起こり、ヒンジ蓋の側面パネルもロック片に押されて逃げるので、ロック片に作用する接触圧が緩和され、そのロック片のクリープ変形が起こり難くなって、蓋の開閉がより多く繰り返される用途にも耐えるものになる。
【００２３】
なお、本体部の正面パネルに上記切欠き部を設けたものは、本体部の正面パネルがより撓み易くなってロック片の保護効果が高まる。
【００２４】
また、ヒンジ蓋の側面パネルと正面パネルに折込みフラップを連接し、それ等の折込みフラップを重ねて正面パネルの内側に配置するものは、正面パネルが補強される。
【００２５】
このほか、ヒンジ蓋の側面パネルに連接された折込みフラップにフラップ延伸部を設けて左右の折込みフラップのフラップ延伸部を互いに切込みを利用して係止させ、さらに、正面パネルの折込みフラップに設けた切起し舌片を前記フラップ延伸部の切欠かれた縁に係止させて正面パネルの折込みフラップを固定するものは、ヒンジ蓋を糊付けせずに簡単に組み立てることができる。なおかつ、正面パネルの下縁が折込みフラップの折り曲げ部に包み隠されることから箱の見栄えもよくなる。
【図面の簡単な説明】
【００２６】
【図１】この発明の包装箱の一例を示す斜視図
【図２】図１の包装箱を、蓋を開けた状態にして示す斜視図
【図３】底面パネルの組立て途中の状態を示す斜視図
【図４】本体部の底面パネルを箱の内側から見た平面図
【図５】ヒンジ蓋の組立て途中の状態を示す斜視図
【図６】本体部の正面パネルがヒンジ蓋を閉めるときに撓んだ状態を示す断面図
【図７】ヒンジ蓋を開けるために本体部の正面パネルを指で押えて撓ませた状態を示す断面図
【図８】図１の包装箱の展開図
【発明を実施するための形態】
【００２７】
以下、添付図面の図１〜図８に基づいて、この発明のヒンジ蓋付き包装箱の実施の形態を説明する。図示の包装箱２０は、本体部２１と、その本体部の背面パネルに一体に連なるヒンジ蓋２２を有する。この包装箱２０は、図８に示したブランクシート１５を折り目線に沿って折り曲げて立体的に組立てたものである。
【００２８】
図８のブランクシート１５は、厚紙を裁断して作られているが、半硬質の樹脂の薄板で形成してもよい。このブランクシート１５は、縦長の本体部用正面パネル１、その本体部用正面パネルの左右の縁に折り目線Ｌ１を介して連接した長方形の左右の本体部用側面パネル２、片方の本体部用側面パネルの背面側の縁に折り目線Ｌ２を介して連設した長方形の背面パネル３、正面、側面、背面の各パネルに折り目線Ｌ３、Ｌ４、Ｌ５を介してそれぞれ連設した底面パネル用フラップ４−１〜４−４、他方の側面パネル２の背面側の縁に折り目線Ｌ６を介して連設した糊代５を有する。
【００２９】
また、背面パネル３の上縁に折り目線Ｌ７（これがヒンジ線となる）を介して連設した方形の上面パネル６、その上面パネルの左右の縁に折り目線Ｌ８を介してそれぞれ連設した蓋用側面パネル７、上面パネル６の他の１辺に折り目線Ｌ９を介して連設した方形の蓋用正面パネル８、その蓋用正面パネルの上面パネルとは反対側の縁に折り目線Ｌ１０を介して連設した折込みフラップ９、各蓋用側面パネル７の蓋用正面パネル側の縁に折り目線Ｌ１１を介して連設した折込みフラップ１０を有する。
【００３０】
本体部用正面パネル１は、幅方向中央部に、そのパネルの上縁から後述するロック片１１の設置域よりも下方に至る切欠き部１ａを有する。また、左右の縁部に側方に突出するロック片１１を有する。そのロック片１１は、本体部用側面パネル２の一部を切起こして形成されている。そして、そのロック片１１は、下縁が下すぼみの方向に、上縁が上すぼみの方向にそれぞれ傾斜して台形が横倒しにされた形状に仕上げられている。
なお、切欠き部１ａは好ましい要素であるが必須ではない。
【００３１】
蓋用側面パネル７の前縁部（折り目線Ｌ１１に沿った位置）には、各ロック片１１を入り込ませて係合させる係止スリット１２が、ロック片１１と位置（箱を組み立てた状態での位置）を対応させて設けられている。
【００３２】
底面パネル用のフラップ４−１は、先端に凹形の切欠き４ａを有し、フラップ４−３と４−４は、フラップ４−１の押え部４ｂとフラップ４−１の内側に潜りこませて係止させる係止片４ｃを有する。
【００３３】
また、フラップ４−２は、フラップ４−３と４−４を外から押える押え部４ｄと、フラップ４−１の内側に潜りこませて切欠き４ａの縁に係止させる係止片４ｅを有する。
【００３４】
なお、前記フラップ４−１〜４−４を組み合わせて構成される底面パネルは、周知の包装箱に多用されているものであって、本願発明を特徴づけるものではない。
【００３５】
蓋用側面パネル７は、下縁と後縁が交差したコーナ部を切欠いているが、この切欠きは必須ではない。この蓋用側面パネル７に連設した折込みフラップ１０は、先端の上面パネル側コーナを切欠き部１０ｃによって切欠いて幅を根元側の約半分にしたフラップ延伸部１０ａを先端に有する。また、左右の折込みフラップのフラップ延伸部１０ａは互いがオーバラップして重なる長さに設定され、両者に相反する向きの切込み１０ｂが形成されている。
【００３６】
また、正面パネル８に連接される折込みフラップ９には、前記フラップ延伸部の切欠き部１０ｃの縁に係止させる切起し舌片１３が設けられている。
【００３７】
このように構成されたブランクシート１５を、以下の手順に基づいて組み立てる。まず、折り目線Ｌ１，Ｌ２，Ｌ６を山折りして糊代５を背面パネル３の縁に糊付けし、本体部を筒状にする。このとき、ロック片１１が起き上がって側方に突出する。次いで、フラップ４−１を折り目線Ｌ５に沿って内向きに折り曲げる。
【００３８】
次いで、フラップ４−３，４−４を折り目線Ｌ３に沿って内向きに折り曲げ、図３に示すように、押え部４ｂでフラップ４−１の両側部を外から押さえ、係止片４ｃをフラップ４−１の切欠き４ａの部分からフラップ４−１の内側に差し込む。その後にさらに、フラップ４−２を折り目線Ｌ４に沿って内向きに折り曲げ、そのフラップの先端の係止片４ｅを切欠き４ａの部分からフラップ４−１の内側に差し込んで底面パネルを組み立て、本体部２１の組立を完了する。
【００３９】
次に、折り目線Ｌ７〜Ｌ８と折り目線Ｌ１１をそれぞれ山折りし、図５に示すように、一方のフラップ延伸部１０ａの切込み１０ｂに他方のフラップ延伸部１０ａの切込み１０ｂを差し込んで左右のフラップ延伸部１０ａを互いに連結する。
【００４０】
また、折り目線Ｌ９を山折りして蓋用正面パネル８を連結済みフラップ延伸部１０ａの外側に沿わせ、その後、折り目線Ｌ１０を山折りして折込みフラップ９を連結済みフラップ延伸部１０ａの内側に沿わせる。そして、切起こし舌片１３を門型になっている連結済みフラップ延伸部１０ａの切欠き縁の内側に係止させることでその折込みフラップ９を固定し、ヒンジ蓋２２の組立を完了する。
【００４１】
このようにして組立てた包装箱２０は、折り目線Ｌ８の位置で折り曲げられた蓋用側面パネル７の下縁側が若干外に開き気味になっている。従って、閉を閉じ始めた初期にはロック片１１の上縁が傾斜していなくても蓋用側面パネル７がロック片１１に干渉せずにそのロック片１１の外側に被さる。
【００４２】
この後引き続いてヒンジ蓋２２を閉じていくと、蓋用側面パネル７がロック片１１の突端に接触し、ロック片１１に内向きの押圧力が作用する。すると、本体部の正面パネル１が図６に示すように撓む（彎曲する）。これにより、ロック片１１が内側に逃げ（前記特許文献１，２が開示している包装箱は、ロック用の摩擦力を確保するために、その逃げを無くす必要がある）、そのロック片１１にダメージを与えずにヒンジ蓋２２が閉鎖終点まで移動する。
【００４３】
ヒンジ蓋２２が閉鎖終点に到達すると、本体部の正面パネル１が弾性復元してロック片１１が係止スリット１２に入り込んで係合する。これにより、ヒンジ蓋の閉鎖状態がロックされて安定して維持される。
【００４４】
また、蓋のロックの解除は、図７に示すように、本体部の正面パネル１を指で押えて撓ませる。これにより、ロック片１１が内側に逃げ、係止スリット１２から外れる。ヒンジ蓋２２には、ヒンジ線（折り目線Ｌ７）の部分に曲げ戻しの力が残存しており、その力でヒンジ蓋２２は途中まで自然に開く。そのために、その後に正面パネルの押え付けをやめても再ロックされることがなく、途中まで開いたヒンジ蓋を支障なく全開位置まで開くことができる。
【００４５】
このように、この発明の包装箱は、ヒンジ蓋の開閉が簡単に行え、閉じた蓋のロックの信頼性やロック機構の耐久性にも優れている。
【００４６】
なお、ヒンジ蓋２２は、左右の折込みフラップ１０をオーバラップしないものにして蓋用正面パネル８の内面に糊付けし、その上にさらに折込みフラップ９を重ねて糊付けする構造であってもよい。
【符号の説明】
【００４７】
１          本体部用正面パネル
１ａ        切欠き部
２          本体部用側面パネル
３          背面パネル
４−１〜４−４  底面パネル用フラップ
４ａ，１３  切欠き
４ｂ        フラップ４−１の押え部
４ｃ，４ｅ  係止片
４ｄ        フラップ４−３，４−４の押え部
５          糊代
６          上面パネル
７          蓋用側面パネル
８          蓋用正面パネル
９，１０    折込みフラップ
１０ａ      フラップ延伸部
１０ｂ      切込み
１０ｃ      切欠き部
１１        ロック片
１２        係止スリット
１３        切起こし舌片
１５        ブランクシート
２０        包装箱
２１        本体部
２２        ヒンジ蓋
Ｌ１〜Ｌ１１  折り目線
【図１】
2012136253.tif 000003
【図２】
2012136253.tif 000004
【図３】
2012136253.tif 000005
【図４】
2012136253.tif 000006
【図５】
2012136253.tif 000007
【図６】
2012136253.tif 000008
【図７】
2012136253.tif 000009
【図８】
2012136253.tif 000010